(57)【要約】      （修正有） 【課題】ＨＲＶ検出分析機能を有するマッサージ装置を提供する。【解決手段】ＨＲＶ検出分析機能を有するマッサージ装置において、処理モジュールは、第１センサ部及び第２センサ部と接続され、且つ第１施療子及び第２施療子の作動を制御する作動信号を生成して、作動信号を第１センサ部及び第２センサ部へ出力することによって、第１施療子及び第２施療子はそれぞれ一定の圧力で第１導電布及び第２導電布に圧力を加える。ＨＲＶ検出分析部は、処理モジュール、第１センサ部及び第２センサ部と接続され、第１センサ部及び第２センサ部から生理情報を受信し、生理情報に応じてＨＲＶ分析を行い、分析した結果に応じて分析信号を生成し、分析信号を処理モジュールへ出力する。そして、処理モジュールは分析の結果に基づいて適切な内蔵ファームウェアの選択を判断し、マッサージ部を制御して人体に差別化のマッサージを行う。【選択図】図２
0003203755.tif 000002
【実用新案登録請求の範囲】
【請求項１】
ＨＲＶ検出分析機能を有するマッサージ装置であって、マッサージ装置本体と、第１センサ部と、第２センサ部と、処理モジュールと、ＨＲＶ検出分析部と、
を備え、
前記第１センサ部は、前記マッサージ装置本体に設置され、第１導電布と、第１施療子とを備え、前記第１施療子は前記第１導電布に圧力を加えて前記第１導電布を人体に接触させ、
前記第２センサ部は、前記第１センサ部の位置と異なる位置で前記マッサージ装置本体に設置され、第２導電布と、第２施療子とを備え、前記第２施療子は前記第２導電布に圧力を加えて前記第２導電布を人体に接触させ、前記第１センサ部及び前記第２センサ部が人体に対応して心臓を跨る回路を形成することにより生理情報を生成し、
前記処理モジュールは、前記第１センサ部及び前記第２センサ部と接続され、且つ前記第１施療子及び前記第２施療子の作動を制御するための作動信号を生成して、前記作動信号を前記第１センサ部及び前記第２センサ部へ出力することによって、前記第１施療子及び前記第２施療子はそれぞれ一定の圧力で前記第１導電布及び前記第２導電布に圧力を加え、
前記ＨＲＶ検出分析部は、前記処理モジュール、前記第１センサ部及び前記第２センサ部と接続され、前記第１センサ部及び前記第２センサ部から前記生理情報を受信し、前記生理情報に応じてＨＲＶ分析を行い、分析した結果に応じて分析信号を生成し、前記分析信号を前記処理モジュールへ出力することを特徴とする、ＨＲＶ検出分析機能を有するマッサージ装置。
【請求項２】
前記マッサージ装置本体は、マッサージチェアであることを特徴とする、請求項１に記載のＨＲＶ検出分析機能を有するマッサージ装置。
【請求項３】
前記第１センサ部及び前記第２センサ部は、それぞれ前記マッサージ装置本体と隣接する人体の左上肢と右上肢、或いは片側の上肢と反対側の下肢に設置され、前記第１センサ部及び前記第２センサ部で心臓を跨る回路が形成されることを特徴とする、請求項１に記載のＨＲＶ検出分析機能を有するマッサージ装置。
【請求項４】
前記処理モジュールは、前記ＨＲＶ検出分析部から受信した前記分析信号を表示装置或いは記憶装置へ出力することを特徴とする、請求項１に記載のＨＲＶ検出分析機能を有するマッサージ装置。
【請求項５】
前記第１施療子及び前記第２施療子は空気袋であって、前記空気袋に空気を入れて膨らせることによって、それぞれ前記第１導電布及び前記第２導電布に前記一定の圧力を加え、前記第１導電布及び前記第２導電布は、前記一定の圧力で人体に接触することを特徴とする、請求項１に記載のＨＲＶ検出分析機能を有するマッサージ装置。
【請求項６】
前記第１施療子及び前記第２施療子は、もみ玉であって、前記もみ玉は人体の方向に向かって回転することによって、それぞれ前記第１導電布及び前記第２導電布に前記一定の圧力を加え、前記第１導電布及び前記第２導電布は、前記一定の圧力で人体に接触することを特徴とする、請求項１に記載のＨＲＶ検出分析機能を有するマッサージ装置。
【請求項７】
前記マッサージ装置本体には、さらに複数のマッサージ部が設置され、前記複数のマッサージ部は、前記第１センサ部及び前記第２センサ部と隣接する位置に設置され、人体に対してマッサージを行うことを特徴とする、請求項１に記載のＨＲＶ検出分析機能を有するマッサージ装置。
【請求項８】
前記第１センサ部及び前記第２センサ部は、センサモードとマッサージモードを有し、前記センサモードは、前記生理情報を生成するように前記第１センサ部及び前記第２センサ部をそれぞれ人体に接触させ、前記マッサージモードは、前記第１センサ部の前記第１施療子、前記第２センサ部の前記第２施療子及び前記複数のマッサージ部を人体に対して同時にマッサージを行うことを特徴とする、請求項７に記載のＨＲＶ検出分析機能を有するマッサージ装置。
【請求項９】
前記マッサージ装置本体には、さらに複数のマッサージ部が設置され、前記複数のマッサージ部は前記処理モジュールと接続され、前記処理モジュールは前記分析信号に応じてマッサージ信号を前記複数のマッサージ部へ出力し、前記複数のマッサージ部はマッサージ信号に応じてマッサージを行うことを特徴とする、請求項１に記載のＨＲＶ検出分析機能を有するマッサージ装置。
【考案の詳細な説明】
【技術分野】
【０００１】
本考案は、マッサージ装置に係り、特に、人体生理情報を計測して、ＨＲＶの分析を行うためのＨＲＶ検出分析機能を有するマッサージ装置に関するものである。
【背景技術】
【０００２】
現在、人々はストレスの蓄積、長時間労働などの原因で肩や首、手足などが凝ることになるので、仕事又は授業が終わった後、体の各部位の筋肉痛を和らげる需要に応じるため、部分式マッサージからマッサージチェア、ベッド式マッサージ機までさまざまな仕様や目的のマッサージ装置が市販されている。
【０００３】
一方、健康問題がますます注目されている現在、健康を判断する健康指標として、自律神経系が正常に機能しているかどうかは重要な指標の一つである。その中、心拍数変動（Ｈｅａｒｔ  ｒａｔｅ  ｖａｒｉａｂｉｌｉｔｙ，ＨＲＶ）の分析は、自律神経系が正常に機能しているかどうかを効果的に検出する一つの方法である。よって、もしマッサージの前にＨＲＶ検出分析を行って、その分析の結果に基づいて処理モジュールが適切な内蔵ファームウェアを判断して選択することによって、マッサージ部が人体に対して差別化のマッサージを行うように制御するマッサージ装置があれば、使用者がマッサージされると共に、自身の体調を知る又は整えることができ、且つ時間の節約、便利などの利点がある。
【考案の開示】
【考案が解決しようとする課題】
【０００４】
上記従来の問題点に鑑みて、本考案は、マッサージ装置の人体四肢の置く位置にセンサ部が設置され、且つＨＲＶ検出分析部が設置されるマッサージ装置を提供することを目的とする。それにより、マッサージの前にＨＲＶ検出分析を行って、その分析の結果に基づいて処理モジュールが適切な内蔵ファームウェアを判断して選択することによって、マッサージ部が人体に対して差別化のマッサージを行うように制御することができる。
【課題を解決するための手段】
【０００５】
上述した目的により、本考案は、ＨＲＶ検出分析機能を有するマッサージ装置を提供する。そのマッサージ装置は、マッサージ装置本体と、第１センサ部と、第２センサ部と、処理モジュールと、ＨＲＶ検出分析部とを備える。第１センサ部は、マッサージ装置本体に設置され、第１導電布と、第１施療子とを備え、第１施療子は第１導電布に圧力を加えて第１導電布を人体に接触させる。第２センサ部は、第１センサ部の位置と異なる位置でマッサージ装置本体に設置され、第２導電布と、第２施療子とを備え、第２施療子は第２導電布に圧力を加えて第２導電布を人体に接触させ、第１センサ部及び第２センサ部が人体に対応して心臓を跨る回路を形成することにより生理情報を生成する。処理モジュールは、第１センサ部及び第２センサ部と接続され、且つ第１施療子及び第２施療子の作動を制御するための作動信号を生成して、作動信号を第１センサ部及び第２センサ部へ出力することによって、第１施療子及び第２施療子はそれぞれ一定の圧力で第１導電布及び第２導電布に圧力を加える。ＨＲＶ検出分析部は、処理モジュール、第１センサ部及び第２センサ部と接続され、第１センサ部及び第２センサ部から生理情報を受信し、生理情報に応じてＨＲＶ分析を行い、分析した結果に応じて分析信号を生成し、分析信号を処理モジュールへ出力する。そして、その分析した結果に基づいて処理モジュールが適切な内蔵ファームウェアを判断して選択することによって、マッサージ部が人体に対して差別化のマッサージを行うように制御する。
【０００６】
より好ましくは、マッサージ装置本体は、マッサージチェアである。
【０００７】
より好ましくは、第１センサ部及び第２センサ部は、それぞれマッサージ装置本体と隣接する人体の左上肢と右上肢、或いは片側の上肢と反対側の下肢に設置され、第１センサ部及び第２センサ部で心臓を跨る回路が形成される。
【０００８】
より好ましくは、処理モジュールは、ＨＲＶ検出分析部から受信した分析信号を表示装置或いは記憶装置へ出力する。
【０００９】
より好ましくは、第１施療子及び第２施療子は空気袋であって、空気袋に空気を入れて膨らせることによって、それぞれ第１導電布及び第２導電布に一定の圧力を加え、第１導電布及び第２導電布は、一定の圧力で人体に接触する。
【００１０】
より好ましくは、第１施療子及び第２施療子は、もみ玉であって、もみ玉が人体の方向に向かって回転することによって、それぞれ第１導電布及び第２導電布に一定の圧力を加え、第１導電布及び第２導電布は、一定の圧力で人体に接触する。
【００１１】
より好ましくは、マッサージ装置本体には、さらに複数のマッサージ部が設置され、複数のマッサージ部は、第１センサ部及び第２センサ部と隣接する位置に設置され、人体に対してマッサージを行う。
【００１２】
より好ましくは、第１センサ部及び第２センサ部は、センサモードとマッサージモードを有し、センサモードは、生理情報を生成するように第１センサ部及び第２センサ部をそれぞれ人体に接触させ、マッサージモードは、第１センサ部の前記第１施療子、第２センサ部の第２施療子及び複数のマッサージ部を人体に対して同時にマッサージを行う。
【００１３】
より好ましくは、マッサージ装置本体には、さらに複数のマッサージ部が設置され、複数のマッサージ部は処理モジュールと接続され、処理モジュールは分析信号に応じてマッサージ信号を複数のマッサージ部へ出力し、複数のマッサージ部はマッサージ信号に応じてマッサージを行う。
【考案の効果】
【００１４】
上記説明したとおり、本考案に係るＨＲＶ検出分析機能を有するマッサージ装置は、マッサージ装置に設置されたセンサ部及びＨＲＶ検出分析部によって、マッサージ装置を使用する前に、ＨＲＶの検出と分析を行って、その分析した結果に基づいて処理モジュールが適切な内蔵ファームウェアを判断して選択することによって、マッサージ部が人体に対してマッサージを行うように制御することができる。
【考案を実施するための最良の形態】
【００１５】
図１及び図２を参照し、図１は本考案に係るＨＲＶ検出分析機能を有するマッサージ装置の第１概略図であり、図２は本考案に係るＨＲＶ検出分析機能を有するマッサージ装置の第１ブロック図である。図に示すように、本考案に係るＨＲＶ検出分析機能を有するマッサージ装置１は、マッサージ装置本体１０と、第１センサ部１１と、第２センサ部１２と、処理モジュール１８と、ＨＲＶ検出分析部１９とを備える。マッサージ装置本体１０はマッサージ機能を有する。第１センサ部１１は、マッサージ装置本体１０に設置され、第１導電布１１１と、第１施療子１１２とを備え、第１施療子１１２は第１導電布１１１に圧力を加えて第１導電布１１１を人体に接触させる。第２センサ部１２は、第１センサ部１１の位置と異なる位置でマッサージ装置本体１０に設置され、第２導電布１２１と、第２施療子１２２とを備え、第２施療子１２２は第２導電布１２１に圧力を加えて第２導電布１２１を人体に接触させ、第１センサ部１１及び第２センサ部１２が人体に対応して心臓を跨る回路を形成することにより生理情報を生成する。
【００１６】
また、処理モジュール１８は、第１センサ部１１及び第２センサ部１２と接続され、且つ第１施療子１１２及び第２施療子１２２の作動を制御するための作動信号を生成して、作動信号を第１センサ部１１及び第２センサ部１２へ出力する。作動信号に応じて第１施療子１１２及び第２施療子１２２を作動する場合、第１施療子１１２及び第２施療子１２２はそれぞれ一定の圧力で第１導電布１１１及び第２導電布１２１に圧力を加えることによって、第１導電布１１１及び第２導電布１２１を人体に接触させる。さらに、ＨＲＶ検出分析部１９は、処理モジュール１８、第１センサ部１１及び第２センサ部１２と接続され、第１センサ部１１及び第２センサ部１２から生理情報を受信し、生理情報に応じてＨＲＶ分析を行い、分析した結果に応じて分析信号を生成し、分析信号を処理モジュール１８へ出力する。その結果に基づいて処理モジュール１８の判断で適切な内蔵ファームウェアを選択することによって、マッサージ部１５が人体に対してマッサージを行うように制御する。
【００１７】
その中、マッサージ装置本体１０は、マッサージチェアであってもよい。第１センサ部１１及び第２センサ部１２は、それぞれマッサージ装置本体１０と隣接する人体の左上肢と右上肢、或いは片側の上肢と反対側の下肢に設置され、第１センサ部１１及び第２センサ部１２で心臓を跨る回路が形成される。即ち、２つのセンサ部１１、１２はそれぞれマッサージチェアの左右上肢のアームレストに設置されることによって、使用者の左右上肢から人体の生理情報を検出することができる。また、人体の上肢及び下肢から生理情報を検出することもできるが、ＨＲＶ分析を行うための必要な情報を得るように、２つのセンサ部１１、１２は、片側の上肢と反対側の下肢に設置されることが必要であり、即ち、２つのセンサ部１１、１２はそれぞれマッサージチェアの右上肢及び左下肢、或いは左上肢及び右下肢に設置されて、心臓を跨る回路が形成されることによって、ＨＲＶ分析を行うための生理情報を得ることができる。
【００１８】
上述したように、第１センサ部１１及び第２センサ部１２はそれぞれマッサージチェアに設置され、且つ導電布及び施療子をそれぞれ備える。そして、処理モジュール１８は、第１センサ部１１及び第２センサ部１２と接続される。処理モジュール１８は作動信号をそれぞれ第１センサ部１１の第１施療子１１２及び第２センサ部１２の第２施療子１２２へ出力する場合、２つの施療子１１２、１２２はそれぞれ第１導電布１１１及び第２導電布１２１に圧力を加え、その圧力は一定の圧力に固定されている。よって、施療子は、加えた圧力で導電布を使用者に接触させて、一定の圧力に維持することによって、人体の生理情報を安定に検出することができる。
【００１９】
続いて、第１センサ部１１及び第２センサ部１２が人体に対応して心臓を跨る回路を形成した後、それによって生理情報を検出且つ生成して、ＨＲＶ検出分析部１９へ出力する。
【００２０】
ＨＲＶ検出分析部１９は、生理情報を受信した場合、生理情報に応じてＨＲＶ分析を行うことによって、使用者の自律神経系の状態を判断して、その状態に基づいて自律神経系に関連する健康問題、例えば、筋肉緊張、心臓・血管病などがあるかどうかを判断し、さらにこれらの情報から分析情報を生成し、その分析情報を処理モジュール１８へ出力する。
【００２１】
そして、処理モジュール１８は、ＨＲＶ検出分析部１９から受信した分析信号を表示装置２１或いは記憶装置２２へ出力する。処理モジュール１８は、使用者に自身の体調を知らせ、或いは医師に知らせて健康評価を行うように、無線通信或いは有線通信を介して表示装置２１及び記憶装置２２と接続することができる。無線通信は、赤外線通信、ＷｉＦｉ或いはブルートゥースなどが挙げられる。表示装置２１は、コンピューター、スマートフォン或いはタブレットＰＣなどが挙げられる。記憶装置２２は、フラッシュ・ストレージ、外付けハードディスク或いはクラウドストレージなどが挙げられる。しかし、上述したものは例示に過ぎず、これらに制限されない。
【００２２】
図３を参照し、図３は本考案に係るＨＲＶ検出分析機能を有するマッサージ装置の第１センサ部の第１概略図である。図に示すように、第１センサ部１１の第１施療子１１２及ぶ第２センサ部１２の第２施療子１２２は空気袋であってもよい。空気袋には空気を入れて膨らせることによって、それぞれ第１導電布１１１及び第２導電布１２１に一定の圧力を加える。即ち、空気袋を所定の圧力まで膨らせた場合、膨張は停止して、第１導電布１１１及び第２導電布１２１を一定の圧力で人体に接触させることによって、人体の生理情報を安定に検出することができる。第２センサ部１２の構造は、第１センサ部１１と同じであるため、ここでの詳細な説明は省略する。
【００２３】
図４を参照し、図４は本考案に係るＨＲＶ検出分析機能を有するマッサージ装置の第１センサ部の第２概略図である。図に示すように、第１センサ部１１の第１施療子１１２及ぶ第２センサ部１２の第２施療子１２２はもみ玉であってもよい。もみ玉は人体の方向に向かって回転することによって、それぞれ第１導電布１１１及び第２導電布１２１に一定の圧力を加える。即ち、もみ玉を所定の圧力が加えられる位置までに回転させた場合、回転を停止して、第１導電布１１１及び第２導電布１２１を一定の圧力で人体に接触させることによって、人体の生理情報を安定に検出することができる。第２センサ部１２の構造は、第１センサ部１１と同じであるため、ここでの詳細な説明は省略する。
【００２４】
さらに、本考案に係るＨＲＶ検出分析機能を有するマッサージ装置１は、複数のマッサージ部１５を備える。複数のマッサージ部１５は、マッサージ装置本体１０に設置され、且つ第１センサ部１１及び第２センサ部１２と隣接する位置に設置され、人体に対してマッサージを行う。即ち、第１センサ部１１はマッサージ装置本体１０と隣接する使用者の手の置く位置に設置される場合、第１センサ部１１は手首の置く位置に設置され、マッサージ部１５は手の他の部分の置く位置に設置されることによって、人体に対してマッサージを行う。第２センサ部１２の設置は、第１センサ部１１と同じであるため、ここでの詳細な説明は省略する。
【００２５】
また、第１センサ部１１及び第２センサ部１２は、センサモードとマッサージモードを有する。センサモードは、生理情報を生成するように第１センサ部１１及び第２センサ部１２をそれぞれ人体に接触させて心臓を跨る回路を形成する。マッサージモードは、第１センサ部１１の第１施療子１１２、第２センサ部１２の第２施療子１２２及び複数のマッサージ部１５を人体に対して同時にマッサージを行う。
【００２６】
言い換えれば、第１センサ部１１及び第２センサ部１２は、人体の生理情報の検出機能を有する他、マッサージ機能も兼ね備える。即ち、マッサージ部１５がマッサージを行った場合、第１センサ部１１及び第２センサ部１２は、上述したように、使用者に対して生理情報を検出することができ、或いはその中の第１施療子１１２及び第２施療子１２２がマッサージを行うことで、第１センサ部１１、第２センサ部１２及びマッサージ部１５を使用者に対して同時にマッサージを行うことができる。
【００２７】
また、複数のマッサージ部１５は、マッサージ装置本体１０の他の部分に設置されることもできるため、第１センサ部１１及び第２センサ部１２と隣接する位置に設置されることが必要な条件ではない。そして、複数のマッサージ部１５は、処理モジュール１８と接続され、処理モジュール１８は分析信号に応じてマッサージ信号を生成し、マッサージ信号を複数のマッサージ部１５へ出力し、複数のマッサージ部１５はマッサージ信号に応じてマッサージを行う。
【００２８】
さらに詳しく述べると、処理モジュール１８はＨＲＶ検出分析部１９から受信した分析信号に基づいて使用者の体調を判断し、そして判断の結果に基づいて使用者の体調に合わせたマッサージの仕方を決定することで、マッサージ信号を生成し、そのマッサージ信号をマッサージ部１５へ出力する。マッサージ部１５はマッサージ信号を受信した場合、受信したマッサージ信号に応じてさまざまなマッサージを行う。
【００２９】
言い換えれば、本考案に係るＨＲＶ検出分析機能を有するマッサージ装置１はマッサージを行う前に、第１センサ部１１、第２センサ部１２、処理モジュール１８及ぶＨＲＶ検出分析部１９の作動によって、人体の生理情報を検出してＨＲＶの検出分析を行うことができる。これによって、マッサージを行った場合、マッサージ部１５はその分析の結果により、使用者の体調に合わせて、差別化のマッサージを行うことで、マッサージの効果がさらに使用者の需要に合わせることができる。
【００３０】
図５及び図６を参照し、図５は本考案に係るＨＲＶ検出分析機能を有するマッサージ装置の第２概略図であり、図６は本考案に係るＨＲＶ検出分析機能を有するマッサージ装置の第２ブロック図である。図に示すように、本考案に係るＨＲＶ検出分析機能を有するマッサージ装置１は、上述したように、マッサージ装置本体１０と、第１センサ部１１と、第２センサ部１２と、複数のマッサージ部１５と、処理モジュール１８と、ＨＲＶ検出分析部１９とも備え、その構造と作動は上述した実施例と同じであり、そしてさらに第３センサ部１３と、第４センサ部とを備える。第３センサ部１３は、第１センサ部１１及び第２センサ部１２の位置と異なる位置でマッサージ装置本体１０に設置され、第３導電布１３１と、第３施療子１３２とを備える。第４センサ部１４は、第１センサ部１１、第２センサ部１２及び第３センサ部１３の位置と異なる位置でマッサージ装置本体１０に設置され、第４導電布１４１と、第４施療子１４２とを備える。また、第３センサ部１３及び第４センサ部１４の構造、作動及び処理モジュール１８とＨＲＶ検出分析部１９との接続は、第１センサ部１１及び第２センサ部１２と同じであるため、ここでの詳細な説明は省略する。
【００３１】
第１センサ部１１、第２センサ部１２、第３センサ部１３及び第４センサ部１４は、それぞれマッサージ装置本体１０の四肢の置く位置に設置され、即ち、センサ部をそれぞれマッサージチェアの両手及び両脚の置く位置に設置する。
【００３２】
さらに詳しく述べると、処理モジュール１８は、作動信号を第１センサ部１１、第２センサ部１２、第３センサ部１３及び第４センサ部１４の内に心臓を跨る何れか２つへ出力し、上述したように、各センサ部の各施療子の作動を制御し、制御された施療子をそれぞれ各導電布に圧力を加えることによって、生理情報を生成し、その生理情報をＨＲＶ検出分析部１９へ出力して分析信号を得ることができる。
【００３３】
以上によって、本考案に係るＨＲＶ検出分析機能を有するマッサージ装置は、マッサージ機能を提供する他、センサ部における導電布及び施療子の作動によって、人体の生理情報を検出し、その生理情報に基づいてＨＲＶの検出分析を行うことで、使用者はマッサージ装置を使用すると共に、自身の体調を知ることができる。そして、処理モジュールは分析の結果に基づいて適切な内蔵ファームウェアを判断して選択することによって、マッサージ部が人体に対して差別化のマッサージを行うように制御することで、マッサージの効果を向上させることができる。
【図面の簡単な説明】
【００３４】
【図１】本考案に係るＨＲＶ検出分析機能を有するマッサージ装置の第１概略図である。
【図２】本考案に係るＨＲＶ検出分析機能を有するマッサージ装置の第１ブロック図である。
【図３】本考案に係るＨＲＶ検出分析機能を有するマッサージ装置の第１センサ部の第１概略図である。
【図４】本考案に係るＨＲＶ検出分析機能を有するマッサージ装置の第１センサ部の第２概略図である。
【図５】本考案に係るＨＲＶ検出分析機能を有するマッサージ装置の第２概略図である。
【図６】本考案に係るＨＲＶ検出分析機能を有するマッサージ装置の第２ブロック図である。
【符号の説明】
【００３５】
１：ＨＲＶ検出分析機能を有するマッサージ装置
１０：マッサージ装置本体
１１：第１センサ部
１１１：第１導電布
１１２：第１施療子
１２：第２センサ部
１２１：第２導電布
１２２：第２施療子
１３：第３センサ部
１３１：第３導電布
１３２：第３施療子
１４：第４センサ部
１４１：第４導電布
１４２：第４施療子
１５：マッサージ部
１８：処理モジュール
１９：ＨＲＶ検出分析部
２１：表示装置
２２：記憶装置
【図１】
0003203755.tif 000003
【図２】
0003203755.tif 000004
【図３】
0003203755.tif 000005
【図４】
0003203755.tif 000006
【図５】
0003203755.tif 000007
【図６】
0003203755.tif 000008